(57)【要約】【課題】  良好な収差補正が為されながら、環境温度が変化した際に生じるピントずれを高精度に調節することが可能なズームレンズを提供すること。【解決手段】  物体側から像側へ順に、ズーミングのためには移動しない第１レンズ群と、ズーミングに際して移動する第２レンズ群と、前記第２レンズ群よりも像側に開口絞りを有し、前記第２レンズ群より像側に少なくとも１つの複合光学素子を有し、該複合光学素子のうち物体側から数えてｉ番目の複合光学素子をＬＣｉは、互いに接する光学素子ＬＡｉと光学素子ＬＢｉを有し、前記光学素子ＬＡｉおよび前記光学素子ＬＢｉの屈折率、アッベ数、空気中におけるｄ線の相対屈折率の温度係数が所定の条件を満足する構成とすることを特徴とする。【選択図】  図１
2018205332.tif 000002
【特許請求の範囲】
【請求項１】
物体側から像側へ順に、ズーミングのためには移動しない第１レンズ群と、ズーミングに際して移動する第２レンズ群と、前記第２レンズ群よりも像側に開口絞りを有し、
前記第２レンズ群より像側に少なくとも１つの複合光学素子を有し、該複合光学素子のうち物体側から数えてｉ番目の複合光学素子をＬＣｉは、互いに接する光学素子ＬＡｉと光学素子ＬＢｉを有し、前記光学素子ＬＡｉおよび前記光学素子ＬＢｉの屈折率、アッベ数、空気中におけるｄ線の相対屈折率の温度係数をそれぞれＮｄａｉ、Ｎｄｂｉ、νｄａｉ、νｄｂｉ、ｄＮｄＴａｉ、ｄＮｄＴｂｉとするとき、
０．９７＜Ｎｄａｉ／Ｎｄｂｉ＜１．０３
０．９５＜νｄａｉ／νｄｂｉ＜１．０５
１．０×１０−６＜｜ｄＮｄＴａｉ−ｄＮｄＴｂｉ｜
なる条件を満足することを特徴とするズームレンズ。なお、アッベ数νは、フラウンフォーファ線のＦ線（４８６．１ｎｍ）、ｄ線（５８７．６ｎｍ）、Ｃ線（６５６．３ｎｍ）に対する屈折率をそれぞれＮＦ、Ｎｄ、ＮＣとしたとき、
ν＝（Ｎｄ−１）／（ＮＦ−ＮＣ）
で表されるものとする。
【請求項２】
前記複合光学素子ＬＣｉを構成する面の中で最も大きい有効径をＥＡｃｉ、前記光学素子ＬＡｉ、前記光学素子ＬＢｉの光軸上の厚みをそれぞれＤａｉ、Ｄｂｉとするとき、
０．０２＜Ｄａｉ／ＥＡｃｉ＜０．９０
０．０２＜Ｄｂｉ／ＥＡｃｉ＜０．９０
なる条件を満足することを特徴とする請求項１に記載のズームレンズ。
【請求項３】
広角端において、前記光学素子ＬＡｉ、前記光学素子ＬＢｉの屈折率が０．０００５変化した際のピント位置の変化量をそれぞれｄｓｋａｉ、ｄｓｋｂｉとし、前記ズームレンズの広角端の焦点距離をｆｗとするとき、
０．１０×１０−２＜(｜ｄｓｋａｉ｜＋｜ｄｓｋｂｉ｜)／ｆｗ
なる条件を満足することを特徴とする請求項１又は２に記載のズームレンズ。
【請求項４】
前記ズームレンズを構成するレンズの中で最も物体側のレンズの物体側の面の面頂点位置と前記複合光学素子ＬＣｉの中で最も物体側に位置する光学素子の物体側の面の面頂点位置との距離をＤＬｃｆ、前記ズームレンズを構成するレンズの中で最も物体側のレンズの物体側の面の面頂点位置と、前記ズームレンズを構成するレンズの中で最も像側のレンズの像側の面の面頂点位置の距離をＤＬＴとするとき、
０．５０＜ＤＬｃｆ／ＤＬＴ
なる条件を満足することを特徴とする請求項１乃至３のいずれか１項に記載のズームレンズ。
【請求項５】
前記第１レンズ群は正の屈折力を有し、前記第２レンズ群は負の屈折力を有することを特徴とする請求項１乃至４のいずれか１項に記載のズームレンズ。
【請求項６】
前記第１レンズ群は負の屈折力を有し、前記第２レンズ群は正の屈折力を有することを特徴とする請求項１乃至４のいずれか１項に記載のズームレンズ。
【請求項７】
前記第１レンズ群は、合焦のためには移動しない固定レンズ群と、合焦に際して移動する移動レンズ群を有することを特徴とする請求項１乃至６のいずれか１項に記載のズームレンズ。
【請求項８】
請求項１乃至７のいずれか１項に記載のズームレンズと、前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩フィルム用カメラ等に好適なものである。
【背景技術】
【０００２】
テレビジョン撮影、映画撮影等に用いられるズームレンズは一般に、物体側から順に、フォーカスのためのフォーカスレンズ群と変倍のためのバリエータ及び変倍に伴う像面変動を補正するためのコンペンセータを含む変倍レンズ群と、結像のための結像レンズ群を有する。そして、被写体に対してピントを合わせるときには、マニュアル操作の機械的な伝達、もしくはマニュアル操作に応じた電気的駆動によりフォーカスレンズ群を光軸方向に駆動するマニュアルフォーカスを行う。これは、テレビジョン撮影、映画撮影においては被写体に対して単にピントを合わせるだけでなく、映像効果として故意にピントをぼかす使い方をすることも多く、撮影者の意図に応じたフォーカシングを行うためである。
【０００３】
上述したようなマニュアルフォーカスで駆動するズームレンズにおいて、環境温度の変化によりピントが変化する場合、映像がピンボケしてしまい、画質が劣化するため問題となる。ピントが変化する要因として、環境温度が変化することで生じるガラスの屈折率の変化や、レンズやレンズを保持する鏡筒の伸縮が挙げられる。これに対し、レンズの材料を適切に選択することや、鏡筒構造の工夫により、環境温度の変化に対するピント変化を小さくすることが可能である。
【０００４】
例えば特許文献１では、４群構成のズームレンズにおいて、第３及び第４レンズ群を構成するレンズの相対屈折率の温度係数の関係を規定することで、環境温度の変化があっても、ピント変動を少なくする方法が開示されている。
【０００５】
特許文献２では、単焦点レンズにおいて、環境温度の変化により生じる鏡筒の伸縮が原因で発生する結像位置の変化を、レンズの屈折率変化により生じる結像位置の変化で相殺することで、環境温度の変化があっても、ピント変動を少なくする方法が開示されている。
【先行技術文献】
【特許文献】
【０００６】
【特許文献１】特開２０１３−３３２４２号公報
【特許文献２】特開２０１４−１９７１３０号公報
【発明の概要】
【発明が解決しようとする課題】
【０００７】
ここで、近年ではカメラの高精細化が進み、それに伴い焦点深度も浅くなってきている。そのため、レンズに対しても、従来よりも高精度に環境温度が変化したときに生じるピントずれを補正することが求められる。前述したように、レンズの硝材の選択により環境温度が変化したときに生じるピントずれを制御することは可能であるが、高精度に制御することは困難である。この理由として、硝材の屈折率変化の温度係数が、離散的であることが挙げられる。表１に、株式会社オハラの硝材の中でアッベ数が７０よりも大きい硝材の屈折率、アッベ数、相対屈折率の温度係数を示す。ここで、相対屈折率の温度係数とは、ガラスと同温度中の空気中におけるｄ線の相対屈折率が１℃あたりいくら変化するかを示す値である。表１に示すように、硝材によって相対屈折率の温度係数は離散的な値であり、屈折率、アッベ数についても同様に、硝材によって値が離散的である。そのため、特定の収差を補正する目的で硝材を選択するときに、相対屈折率の温度係数も特定の値に決まってしまう。このような理由から、収差補正と、環境温度によるピント変動の抑制をひとつのレンズを使って独立で調整することは困難であり、それぞれを独立して調整するためには、複数枚のレンズで発生する収差と環境温度によるピント変動を考慮してレンズ構成を決める必要がある。
【０００８】
上述の特許文献１、２には、環境温度が変化した際に生じるピントずれを補正手段は記載されているものの、環境温度が変化した際に生じるピントずれを高精度に制御する手段については開示が無い。本発明の目的は、良好な収差補正が為されながら、環境温度が変化した際に生じるピントずれを高精度に調節することが可能なズームレンズを提供することである。
【課題を解決するための手段】
【０００９】
上記目的を達成するために、本発明のズームレンズは、物体側から像側へ順にズーミングのためには移動しない第１レンズ群と、ズーミングに際して移動する第２レンズ群と、前記第２レンズ群よりも像側に開口絞りを有し、前記第２レンズ群より像側に少なくとも１つの複合光学素子を有し、該複合光学素子のうち物体側から数えてｉ番目の複合光学素子をＬＣｉは、互いに接する光学素子ＬＡｉと光学素子ＬＢｉを有し、前記光学素子ＬＡｉおよび前記光学素子ＬＢｉの屈折率、アッベ数、空気中におけるｄ線の相対屈折率の温度係数をそれぞれＮｄａｉ、Ｎｄｂｉ、νｄａｉ、νｄｂｉ、ｄＮｄＴａｉ、ｄＮｄＴｂｉとするとき、
０．９７＜Ｎｄａｉ／Ｎｄｂｉ＜１．０３
０．９５＜νｄａｉ／νｄｂｉ＜１．０５
１．０×１０-6＜｜ｄＮｄＴａｉ−ｄＮｄＴｂｉ｜
なる条件を満足することを特徴とする。なお、アッベ数νは、フラウンフォーファ線のＦ線（４８６．１ｎｍ）、ｄ線（５８７．６ｎｍ）、Ｃ線（６５６．３ｎｍ）に対する屈折率をそれぞれＮＦ、Ｎｄ、ＮＣとしたとき、
ν＝（Ｎｄ−１）／（ＮＦ−ＮＣ）
で表されるものとする。
【発明の効果】
【００１０】
本発明によれば、良好な収差補正が為されながら、環境温度が変化した際に生じるピントずれを高精度に調節することが可能なズームレンズを提供することができる。
【図面の簡単な説明】
【００１１】
【図１】数値実施例１の広角端状態における無限遠合焦時のレンズ断面図
【図２】数値実施例１の広角端（ａ）、望遠端（ｂ）で無限遠合焦時の収差図
【図３】数値実施例１のＬＣ１を構成するＬＡ１とＬＢ１の曲率半径と肉厚を変更した場合の広角端状態における無限遠合焦時のレンズ断面図
【図４】数値実施例１のＬＣ１を構成するＬＡ１とＬＢ１の曲率半径と肉厚を変更した場合の広角端（ａ）、望遠端（ｂ）で無限遠合焦時の収差図
【図５】数値実施例２の広角端状態における無限遠合焦時のレンズ断面図
【図６】数値実施例２の広角端（ａ）、望遠端（ｂ）で無限遠合焦時の収差図
【図７】数値実施例２のＬＣ１、ＬＣ２を構成するＬＡ１、ＬＡ２とＬＢ１、ＬＢ２の曲率半径と肉厚を変更した場合の広角端状態における無限遠合焦時のレンズ断面図
【図８】数値実施例２のＬＣ１、ＬＣ２を構成するＬＡ１、ＬＡ２とＬＢ１、ＬＢ２の曲率半径と肉厚を変更した場合の広角端状態における無限遠合焦時のレンズ断面図
【図９】数値実施例３の広角端（ａ）、望遠端（ｂ）で無限遠合焦時の収差図
【図１０】数値実施例３の広角端（ａ）、望遠端（ｂ）で無限遠合焦時の収差図
【図１１】数値実施例３のＬＣ１を構成するＬＡ１とＬＢ１の曲率半径と肉厚を変更した場合の広角端状態における無限遠合焦時のレンズ断面図
【図１２】数値実施例３のＬＣ１を構成するＬＡ１とＬＢ１の曲率半径と肉厚を変更した場合の広角端（ａ）、望遠端（ｂ）で無限遠合焦時の収差図
【図１３】本発明の撮像装置の要部概略図
【発明を実施するための形態】
【００１２】
本発明のズームレンズは、ズーミングのためには移動しない第１レンズ群と、ズーミングに際して光軸方向に移動する第２レンズ群と、第２レンズ群よりも像側に開口絞りを有するズームレンズであって、第２レンズ群よりも像側に、互いに接する光学素子ＬＡｉと光学素子ＬＢｉを有する複合光学素子ＬＣｉを少なくとも１つ配置することを特徴としている。
【００１３】
前述したように、環境温度が変化することで生じるピントずれの要因には、レンズやそれを保持する鏡筒の伸縮、温度の変化によりガラスの屈折率の変化が挙げられる。  ここで、ピントずれ（ピント位置の変化量）について説明する。本来であれば特定距離の被写体に対し、フォーカスレンズ群を特定位置に移動させることで合焦する。しかし、環境温度の変化によるレンズやメカ部材の伸縮や、ガラスの屈折率の変化により、ピント位置が変化することがある。本発明において、ピント位置が変化することにより発生するずれ量をピントずれ（ピント位置の変化量）として定義する。このうち、ガラスの屈折率の変化によるピントずれについて説明する。
【００１４】
ある光学素子ｉの屈折率変化によるピントずれをΔＳＫ（Ｎ）ｉとするとき、ΔＳＫ（Ｎ）ｉは以下の式（ア）で表される。
ΔＳＫ（Ｎ）ｉ
＝（ｄＳＫ／ｄＮ）ｉ／０．０００５×（ｄＮ／ｄＴ）ｉ  ・・・（ア）
ここで、（ｄＳＫ／ｄＮ）ｉは、光学素子ｉの屈折率が０．０００５変化したときのピント変化量であり、（ｄＮ／ｄＴ）ｉは、材料の温度が１℃変化したときの空気に対する材料の相対屈折率の変化量である。
【００１５】
ガラスの屈折率の変化によるピントずれを調整する手段として、上述の（ｄＳＫ／ｄＮ）ｉか、（ｄＮ／ｄＴ）ｉを変化させてΔＳＫ（Ｎ）ｉを変化させることが挙げられる。しかしながら、（ｄＳＫ／ｄＮ）ｉを変化させるためには、レンズの屈折力配置自体を変更する必要があり、レンズ構成自体の変更が必要となるため、調整手段としては、レンズ構成や、収差の変化が大きく適切でない。また、（ｄＮ／ｄＴ）ｉを変化させる場合は、光学素子ｉの材料を変更することで変化させることが可能であるが、前述のように、材料毎の特性が離散的であるため、高精度にピントずれを調整することが難しい。ここで、光学素子ＬＡｉと、それに接する光学素子ＬＢｉからなる光学素子ＬＣｉのガラスの屈折率の変化によるピントずれΔＳＫ（Ｎ）Ｃｉは、以下の式（イ）で表される。
ΔＳＫ（Ｎ）Ｃｉ
＝（ｄＳＫ／ｄＮ）Ａｉ／０．０００５×（ｄＮ／ｄＴ）Ａｉ
＋（ｄＳＫ／ｄＮ）Ｂｉ／０．０００５×（ｄＮ／ｄＴ）Ｂｉ  ・・・（イ）
【００１６】
本発明は、光学素子ＬＡｉと光学素子ＬＢｉの屈折率とアッベ数が略同じで、相対屈折率の温度係数が異なる材料で構成することを特徴としている。式（イ）から、（ｄＳＫ／ｄＮ）Ａｉと（ｄＳＫ／ｄＮ）Ｂｉを変化させることで、ΔＳＫ（Ｎ）Ｃｉを連続的に変化させることが可能であることがわかる。具体的には、光学素子ＬＡｉと光学素子ＬＢｉが接する面の曲率半径や、光学素子ＬＡｉと光学素子ＬＢｉの肉厚（中心厚）を変化させることで、光学素子ＬＣｉで発生する収差を変化させることなく、ΔＳＫ（Ｎ）Ｃｉを変化させることが可能となる。
【００１７】
光学素子ＬＡｉ、ＬＢｉ、ＬＣｉがそれぞれ以下の条件式を満足することで、環境温度が変化した際に生じるピントずれを高精度に調整することが可能となる。
０．９７＜Ｎｄａｉ／Ｎｄｂｉ＜１．０３  ・・・（１）
０．９５＜νｄａｉ／νｄｂｉ＜１．０５  ・・・（２）
１．０×１０-6＜｜ｄＮｄＴａｉ−ｄＮｄＴｂｉ｜  ・・・（３）
但し、光学素子ＬＡｉおよび光学素子ＬＢｉの屈折率、アッベ数、空気中におけるｄ線に対する相対屈折率の温度係数をそれぞれＮｄａｉ、Ｎｄｂｉ、νｄａｉ、νｄｂｉ、ｄＮｄＴａｉ、ｄＮｄＴｂｉとする。なお、アッベ数νは、フラウンフォーファ線のＦ線（４８６．１ｎｍ）、ｄ線（５８７．６ｎｍ）、Ｃ線（６５６．３ｎｍ）に対する屈折率をそれぞれＮＦ、Ｎｄ、ＮＣとしたとき、
ν＝（Ｎｄ−１）／（ＮＦ−ＮＣ）
で表されるものとする。
【００１８】
条件式（１）は、光学素子ＬＡｉと光学素子ＬＢｉの屈折率の比を規定している。
条件式（１）の上限及び下限を外れると、光学素子ＬＡｉと光学素子ＬＢｉの屈折力（接する面の曲率や各光学素子の肉厚）を制御する際の収差変化が大きくなる。そのため、収差と温度によるピントずれを独立して制御することができず、収差補正と、温度によるピントずれの調整を両立することが難しくなる。
【００１９】
条件式（２）は、光学素子ＬＡｉと光学素子ＬＢｉのアッベ数の比を規定している。
条件式（２）の上限及び下限を外れると、光学素子ＬＡｉと光学素子ＬＢｉの屈折力（接する面の曲率や各光学素子の肉厚）を制御する際の色収差の変動が大きくなる。そのため、収差と温度によるピントずれを独立して制御することができず、収差補正と、温度によるピントずれの調整を両立することが難しくなる。
【００２０】
条件式（３）は、光学素子ＬＡｉと光学素子ＬＢｉの相対屈折率の温度係数の差の絶対値を規定している。条件式（３）の下限を下回ると、光学素子ＬＡｉと光学素子ＬＢｉの屈折力（接する面の曲率や各光学素子の肉厚）を制御した際の、式（イ）に示したΔＳＫ（Ｎ）Ｃｉの変化が小さくなり過ぎるため、温度によるピントずれの調整効果が得られない。
【００２１】
更に好ましくは、条件式（１）乃至条件式（３）は次の如く設定するのが良い。
０．９８＜Ｎｄａｉ／Ｎｄｂｉ＜１．０２  ・・・（１ａ）
０．９７＜νｄａｉ／νｄｂｉ＜１．０３  ・・・（２ａ）
１．２×１０-6＜｜ｄＮｄＴａｉ−ｄＮｄＴｂｉ｜＜３．０×１０-5
・・・（３ａ）
【００２２】
更なる本発明のズームレンズの態様として、以下の条件式を満足するのが望ましい。
０．０１＜Ｄａｉ／ＥＡｃｉ＜０．９８・・・（４）
０．０１＜Ｄｂｉ／ＥＡｃｉ＜０．９８・・・（５）
但し、前記光学素子ＬＣｉを構成する各面の中で最も有効径の大きい面の有効径をＥＡｃｉ、前記光学素子ＬＡｉ、ＬＢｉの光軸上の厚みをそれぞれＤａｉ、Ｄｂｉとする。
【００２３】
条件式（４）は、光学素子ＬＡｉの中心厚と、光学素子ＬＣｉを構成する面の中で最も有効径の大きい面の有効径の比を規定している。
条件式（４）の上限を超えると、光学素子ＬＡｉの中心厚が厚くなりすぎるため、レンズ全長が増大してしまう。条件式（４）の下限を下回ると、光学素子ＬＡｉの中心厚が薄くなり過ぎるため、製造性が悪化してしまう。
【００２４】
条件式（５）は、光学素子ＬＢｉの中心厚と、光学素子ＬＣｉを構成する面の中で最も有効径の大きい面の有効径の比を規定している。
条件式（５）の上限を超えると、光学素子ＬＢｉの中心厚が厚くなりすぎるため、レンズ全長が増大してしまう。条件式（５）の下限を下回ると、光学素子ＬＢｉの中心厚が薄くなり過ぎるため、製造性が悪化してしまう。
【００２５】
更に好ましくは、条件式（４）乃至条件式（５）は次の如く設定するのが良い。
０．０２＜Ｄａｉ／ＥＡｃｉ＜０．５０・・・（４ａ）
０．０２＜Ｄｂｉ／ＥＡｃｉ＜０．５０・・・（５ａ）
【００２６】
更なる本発明のズームレンズの態様として、以下の条件式を満足するのが望ましい。
０．１０×１０-2＜(｜ｄｓｋａｉ｜＋｜ｄｓｋｂｉ｜)／ｆｗ  ・・・（６）
但し、広角端状態において、前記光学素子ＬＡｉとＬＢｉの屈折率が０．０００５変化した際のピント位置の変化量をそれぞれｄｓｋａｉ、ｄｓｋｂｉとし、前記ズームレンズ全系の広角端状態における焦点距離をｆｗとする。
【００２７】
条件式（６）は、光学素子ＬＡｉと、光学素子ＬＢｉの屈折率が０．０００５変化した際のピント位置の変化量の絶対値の和をズームレンズ全系での広角端における焦点距離で規格化した値を規定している。
条件式（６）の下限を下回ると、屈折率が変化する際のピント位置の変化量が小さくなり過ぎ、温度によるピントずれ調整の効果が得られない。
【００２８】
更に好ましくは、条件式（６）は次の如く設定するのが良い。
０．２０×１０-2＜（｜ｄｓｋａｉ｜＋｜ｄｓｋｂｉ｜）／ｆｗ
＜２．００×１０-2  ・・・（６ａ）
【００２９】
更なる本発明のズームレンズの態様として、以下の条件式を満足するのが望ましい。
０．３０＜ＤＬｃｆ／ＤＬＴ  ・・・（７）
但し、前記ズームレンズを構成するレンズの中で最も物体側のレンズの物体側の面の面頂点位置と前記複合光学素子ＬＣｉの中で最も物体側に位置する光学素子の物体側の面の面頂点位置との距離をＤＬｃｆとする。また、前記ズームレンズを構成するレンズの中で最も物体側のレンズの物体側の面の面頂点位置と、前記ズームレンズを構成するレンズの中で最も像側のレンズの像側の面の面頂点位置の距離をＤＬＴとする。
【００３０】
条件式（７）は、レンズの最も物体側の面から、複合光学素子のうち最も物体側に配置される光学素子までの距離と、レンズ全長の比を規定している。
条件式（７）の下限を下回ると、複合光学素子ＬＣｉが３群よりも像側に位置することになる。１群がズーム時に固定のズームレンズでは、広角端において、第２レンズ群の横倍率の絶対値が１より小さくなる。そのため、光学素子ＬＡｉと光学素子ＬＢｉの屈折力（接する面の曲率や各光学素子の肉厚）を制御した際の温度によるピントずれの調整効果が第２レンズ群で縮小されてしまい、ピントずれの調整効果が得られない。
【００３１】
更に好ましくは、条件式（７）は次の如く設定するのが良い。
０．５０＜ＤＬｃｉ／ＤＬＴ＜０．９５  ・・・（７ａ）
【００３２】
以下に、本発明のズームレンズの具体的な構成について、実施例とそれに対応する数値実施例のレンズ構成を説明する。
【実施例１】
【００３３】
図１は本発明の実施例１（数値実施例１）であるズームレンズにおいて、広角端で無限遠に合焦しているときのレンズ断面図である。図２において、（ａ）は広角端、（ｂ）は望遠端の縦収差図を示している。図３、図４はそれぞれ、数値実施例１におけるＬＣ１を構成するＬＡ１とＬＢ１の曲率半径と肉厚を変化させた数値実施例１Ａのレンズ断面図と、縦収差図を示している。
【００３４】
いずれの収差図も、無限遠に合焦しているときの縦収差図である。また、焦点距離の値は、後述する数値実施例をｍｍ単位で表したときの値である。これは以下の数値実施例においても、全て同じである。
【００３５】
図１において、物体側から順に、正の屈折力の第１レンズ群 Ｌ１を有している。更に、広角端から望遠端への変倍に際して、像側へ移動する変倍用の負の屈折力の第２レンズ群Ｌ２を有している。更に、第２レンズ群の移動に連動して光軸上を非直線的に移動し、変倍に伴う像面変動を補正する負の第３レンズ群Ｌ３を有している。更に、変倍のためには移動しない結像作用をする正の屈折力の第４レンズ群Ｌ４を有している。ＳＰは開口絞りである。Ｉは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。第１レンズ群Ｌ１には合焦用レンズ群（合焦に際して移動する移動レンズ群）と、合焦のためには移動しない固定レンズ群と、が含まれている。なお、変倍に際して、第１、２、３、４レンズ群のうち隣接するレンズ群の間隔が変化するように構成されている。
【００３６】
縦収差図において、球面収差における直線と一点鎖線は各々ｅ線、ｇ線である。非点収差における破線と実線は各々メリディオナル像面、サジタル像面であり、倍率色収差における一点鎖線はｇ線である。ωは半画角、ＦｎｏはＦナンバーである。縦収差図では、球面収差は０．５ｍｍ、非点収差は０．５ｍｍ、歪曲は５％、倍率色収差は０．０５ｍｍのスケールで描かれている。なお、以下の各実施例において広角端と望遠端は、変倍用の第２レンズ群Ｌ２が機構に対して光軸上を移動可能な範囲の両端に位置したときのズーム位置を指す。
【００３７】
数値実施例１におけるＬＣ１は、正の屈折力を有するＬＡ１と、正の屈折力を有するＬＢ１で構成される。数値実施例１において、ＬＡ１の材料は、硝材名ＰＣＤ５１（ＨＯＹＡ株式会社）であり、ＬＢ１の材料は、硝材名ＧＦＫ６８（株式会社  住田光学ガラス）である。表２に示すように、これらの硝材の屈折率とアッベ数の関係は条件式（１）、（２）、（３）を満足しており、屈折率とアッベ数は略同一ながら、相対屈折率の温度係数が大きく異なる組み合わせである。数値実施例１Ａは、数値実施例１に対してＬＣ１を構成するＬＡ１、ＬＢ１の曲率半径と肉厚だけが変わっている。図２と図４の収差図を比較すると、ＬＡ１とＬＢ１の曲率半径と肉厚を変化させても収差にはほぼ影響を与えていないことがわかる。ここで、表３には、ＬＡ１、ＬＢ１、ＬＣ１について、温度が１℃変わったことで発生する屈折率の変化により生じるピントずれ量、ΔＳＫａ１、ΔＳＫｂ１、ΔＳＫｃ１を示している。表３から、ＬＡ１とＬＢ１の曲率半径と肉厚を変化させることで、収差はほぼ変化せずに、環境温度の変化によるピントずれ量が変化しており、ピントずれを調整できることがわかる。
【００３８】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数を、ＢＦは空気換算のバックフォーカスを表している。硝材名は、ＬＡｉとＬＢｉに使用されている硝材名を表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６をそれぞれ非球面係数としたとき、次式で表している。また、「ｅ−Ｚ」は「×１０-Z」を意味する。半画角は光線追跡で求めた値である。
【数１】
2018205332.tif 000003
【００３９】
本実施例の各条件式対応値を表２に示す。本実施例は（１）〜（７）式を満足しており、良好な収差補正が為されながら、環境温度が変化した際に生じるピントずれを高精度に調節することが可能なズームレンズを達成している。本発明のズームレンズは、（１）〜（３）式を満足することは必須であるが、（４）〜（７）式については満足していなくても構わない。但し、（４）〜（７）式について少なくとも１つでも満足していれば更に良い効果を奏することができる。これは他の実施例についても同様である。
【００４０】
図１３は各実施例のズームレンズを撮影光学系として用いた撮像装置（テレビカメラシステム）の概略図である。図１３において１０１は実施例１〜３のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用のレンズ群Ｒを有している。第１レンズ群Ｆには合焦用レンズ群（合焦に際して移動する移動レンズ群）と、合焦のためには移動しない固定レンズ群と、が含まれている。変倍部ＬＺは変倍のために光軸上を移動する第２レンズ群と変倍に伴う像面変動を補正するために光軸上を移動する第３レンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。なお、電子撮像素子を用いる場合、電子的に収差補正をすることで出力画像を更に高画質化することができる。また、１１１、１２２はカメラ１２４及びズームレンズ１０１の各種の駆動を制御するＣＰＵである。
【００４１】
このように、本発明のズームレンズをデジタルビデオカメラやテレビカメラやシネマ用カメラに適用することにより、高い光学性能を有する撮像装置を実現している。
【実施例２】
【００４２】
図５は本発明の実施例２（数値実施例２）であるズームレンズにおいて、広角端で無限遠に合焦しているときのレンズ断面図である。図５において物体側から順に、正の屈折力の第１レンズ群 Ｌ１を有している。更に、広角端から望遠端への変倍に際して、像側へ移動する変倍用の負の屈折力の第２レンズ群Ｌ２、正の屈折力を有する第３レンズ群Ｌ３を有している。更に、第２レンズ群、第３レンズ群の移動に連動して光軸上を非直線的に移動し、変倍に伴う像面変動を補正する正の第４レンズ群Ｌ４を有している。更に、変倍のためには移動しない結像作用をする正の屈折力の第５レンズ群Ｌ５を有している。第１レンズ群Ｌ１には合焦用レンズ群（合焦に際して移動する移動レンズ群）と、合焦のためには移動しない固定レンズ群と、が含まれている。なお、変倍に際して、第１、２、３、４、５レンズ群のうち隣接するレンズ群の間隔が変化するように構成されている。
【００４３】
数値実施例２におけるＬＣ１は、正の屈折力を有するＬＡ１と、正の屈折力を有するＬＢ１で構成される。数値実施例１において、ＬＡ１の材料は、硝材名Ｓ−ＦＰＭ２（株式会社オハラ）であり、ＬＢ１の材料は、硝材名ＰＣＤ５１（ＨＯＹＡ株式会社）である。また、ＬＣ２は、負の屈折力のＬＡ２と、正の屈折力を有するＬＢ２で構成される。ＬＡ２の材料は、硝材名Ｓ−ＬＡＭ６０（株式会社オハラ）であり、ＬＢ２の材料は、硝材名Ｌ−ＬＡＭ６０（株式会社オハラ）である。表２に示すように、これらの硝材の屈折率とアッベ数は条件式（１）、（２）、（３）を満足しており、屈折率とアッベ数は略同一ながら、相対屈折率の温度係数が大きく異なる組み合わせである。図７に示す数値実施例２Ａは、数値実施例２に対してＬＣ１を構成するＬＡ１、ＬＢ１の曲率半径と肉厚が、ＬＣ２を構成するＬＡ２、ＬＢ２の曲率半径と肉厚だけが変わっている。図６と図８の収差図を比較すると、ＬＡ１とＬＢ１及びＬＡ２とＬＢ２の曲率半径と肉厚を変化させても収差にはほぼ影響を与えていないことがわかる。ここで、表３には、ＬＡ１、ＬＢ１、ＬＣ１、ＬＡ２、ＬＢ２、ＬＣ２について、温度が１℃変わったことで発生する屈折率の変化により生じるピントずれ量、ΔＳＫａ１、ΔＳＫｂ１、ΔＳＫｃ１、ΔＳＫａ２、ΔＳＫｂ２、ΔＳＫｃ２を示している。表３から、ＬＡ１とＬＢ１、ＬＡ２とＬＢ２の曲率半径と肉厚を変化させることで、収差はほぼ変化せずに、環境温度の変化によるピントずれ量を調整できていることがわかる。
【００４４】
本実施例の各条件式対応値を表２に示す。本実施例は（１）〜（７）式を満足しており、良好な収差補正が為されながら、環境温度が変化した際に生じるピントずれを高精度に調節することが可能なズームレンズを達成している。
【実施例３】
【００４５】
図９は本発明の実施例３（数値実施例３）であるズームレンズにおいて、広角端で無限遠に合焦しているときのレンズ断面図である。図９において、物体側から順に、ズーミングでは固定で負の屈折力の第１レンズ群 Ｌ１を有している。更に、広角端から望遠端への変倍に際して、物体側へ移動する変倍用の正の屈折力の第２レンズ群Ｌ２、正の屈折力を有する第３レンズ群Ｌ３を有している。更に、ズーミングでは固定で負の屈折力の第４レンズ群を有している。更に、第２レンズ群、第３レンズ群の移動に連動して光軸上を非直線的に移動し、変倍に伴う像面変動を補正する正の第５レンズ群Ｌ５を有している。更に、変倍のためには移動しない結像作用をする正の屈折力の第６レンズ群Ｌ６を有している。第１レンズ群Ｌ１には合焦用レンズ群（合焦に際して移動する移動レンズ群）と、合焦のためには移動しない固定レンズ群と、が含まれている。なお、変倍に際して、第１、２、３、４、５、６レンズ群のうち隣接するレンズ群の間隔が変化するように構成されている。第４レンズ群は、開口絞りＳＰに加えて、補助絞りＳＳＰを備えている。補助絞りは、ズーミングに応じて開口径を変化させることで、各ズームポジションでの開放Ｆナンバーを一定に保持する。
【００４６】
数値実施例３におけるＬＣ１は、負の屈折力を有するＬＡ１と、正の屈折力を有するＬＢ１で構成される。数値実施例３において、ＬＡ１の材料は、硝材名Ｓ−ＬＡＭ６０（株式会社オハラ）であり、ＬＢ１の材料は、硝材名Ｌ−ＬＡＭ６０（株式会社オハラ）である。表２に示すように、これらの硝材の屈折率とアッベ数は条件式（１）、（２）、（３）を満足しており、屈折率とアッベ数は略同一ながら、相対屈折率の温度係数が大きく異なる組み合わせである。図１１に示す数値実施例３Ａは、数値実施例３に対してＬＣ１を構成するＬＡ１、ＬＢ１の曲率半径と肉厚だけが変わっている。図１０と図１２の収差図を比較すると、ＬＡ１とＬＢ１の曲率半径と肉厚を変化させても収差にはほぼ影響を与えていないことがわかる。ここで、表３には、ＬＡ１、ＬＢ１、ＬＣ１について、温度が１℃変わったことで発生する屈折率の変化により生じるピントずれ量、ΔＳＫａ１、ΔＳＫｂ１、ΔＳＫｃ１を示している。表３から、ＬＡ１とＬＢ１の曲率半径と肉厚を変化させることで、収差はほぼ変化せずに、環境温度の変化によるピントずれ量を調整できていることがわかる。
【００４７】
本実施例の各条件式対応値を表２に示す。本実施例は（１）〜（７）式を満足しており、良好な収差補正が為されながら、環境温度が変化した際に生じるピントずれを高精度に調節することが可能なズームレンズを達成している。
【００４８】
以上、本発明の好ましい実施形態について説明したが、本発明はこれらの実施形態に限定されず、その要旨の範囲内で種々の変形及び変更が可能である。
【００４９】
（数値実施例１）
単位 mm
面データ
面番号       r        d      nd         vd      硝材名
1        168.916   16.67   1.48749    70.2           
2      -2161.812    1.00                             
3        159.942    3.40   1.72916    54.7           
4        104.810    5.82                             
5        118.148   22.62   1.43387    95.1           
6       -386.186    1.53                             
7       -304.456    3.20   1.72916    54.7           
8        197.270   16.84                             
9        150.419   17.99   1.43387    95.1           
10       -386.566    0.20                             
11        150.023    6.62   1.43387    95.1           
12        240.485  (可変)                             
13*      2416.711    1.20   1.77250    49.6           
14         29.868    5.86                             
15       -169.404    1.00   1.61800    63.3           
16         32.417    7.14   1.72047    34.7           
17        -83.565    3.21                             
18        -36.346    1.00   1.61800    63.3           
19        240.727    0.20                             
20         78.503    3.28   1.54814    45.8           
21       -619.276  (可変)                             
22        -73.067    1.00   1.72916    54.7           
23        168.915    3.43   1.84666    23.8           
24      -1207.910  (可変)                             
25         79.228    9.21   1.59349    67.0           
26*       -80.833    1.00                             
27         50.964    6.95   1.59349    67.0     PCD51           
28          ∞       5.00   1.59240    68.3     GFK68           
29       -138.007    3.00                             
30(絞り)    ∞       3.00                             
31       -136.685    4.50   1.43875    94.9           
32        -44.607    1.20   2.00330    28.3           
33         89.155    3.27                             
34         43.568    8.80   1.56732    42.8           
35        -64.576    4.55                             
36       -345.915    1.20   2.00100    29.1           
37         20.013    8.02   1.84666    23.8           
38        358.412   48.37                             
39         48.436    3.54   1.48749    70.2           
40       -282.970    3.00                             
41        -28.669    1.00   1.88300    40.8           
42         38.544    5.76   1.71736    29.5           
43        -41.615    3.92                             
44        -28.689    1.00   1.95906    17.5           
45        -60.000    5.23   1.80518    25.4           
46        -25.137  (可変)                             
像面        ∞   
非球面データ
第13面
K = 1.11612e+004  A 4= 2.01552e-006  A 6= 1.98007e-011  A 8= 2.15412e-012  A10=-1.21586e-013  A12= 9.21147e-016  A14=-2.90669e-018  A16= 3.45481e-021  
第26面
K =-9.27899e-001  A 4= 6.92089e-007  A 6= 2.16548e-010  A 8=-8.89267e-013  A10= 2.77771e-015  A12=-2.75426e-018  A14=-1.22765e-021  A16= 2.85175e-024  
各種データ
ズーム比     18.00 
広角     中間     望遠
焦点距離      50.00   215.75   900.00  
Fナンバー      4.50     4.50     7.00  
画角          17.59     4.20     1.01  
像高          15.85    15.85    15.85  
レンズ全長   459.98   459.98   459.98  
BF            55.00    55.00    55.00  
d12           10.00    99.76   137.50  
d21          135.26    26.29    11.26  
d24            5.00    24.22     1.50  
d46           55.00    55.00    55.00  
ズームレンズ群データ
群  始面    焦点距離  
1    1     225.00  
2   13     -33.00  
3   22    -116.71  
4   25      60.94  
【００５０】
（数値実施例１Ａ）
単位 mm
面データ
面番号       r        d      nd         vd      硝材名
1        168.916   16.67   1.48749    70.2           
2      -2161.812    1.00                             
3        159.942    3.40   1.72916    54.7           
4        104.810    5.82                             
5        118.148   22.62   1.43387    95.1           
6       -386.186    1.53                             
7       -304.456    3.20   1.72916    54.7           
8        197.270   16.84                             
9        150.419   17.99   1.43387    95.1           
10       -386.566    0.20                             
11        150.023    6.62   1.43387    95.1           
12        240.485  (可変)                             
13*      2416.711    1.20   1.77250    49.6           
14         29.868    5.86                             
15       -169.404    1.00   1.61800    63.3           
16         32.417    7.14   1.72047    34.7           
17        -83.565    3.21                             
18        -36.346    1.00   1.61800    63.3           
19        240.727    0.20                             
20         78.503    3.28   1.54814    45.8           
21       -619.276  (可変)                             
22        -73.067    1.00   1.72916    54.7           
23        168.915    3.43   1.84666    23.8           
24      -1207.910  (可変)                             
25         79.228    9.21   1.59349    67.0           
26*       -80.833    1.00                             
27         51.005    9.95   1.59349    67.0     PCD51           
28       -100.000    2.00   1.59240    68.3     GFK68           
29       -138.131    3.00                             
30(絞り)    ∞       3.00                             
31       -136.685    4.50   1.43875    94.9           
32        -44.607    1.20   2.00330    28.3           
33         89.155    3.27                             
34         43.568    8.80   1.56732    42.8           
35        -64.576    4.55                             
36       -345.915    1.20   2.00100    29.1           
37         20.013    8.02   1.84666    23.8           
38        358.412   48.37                             
39         48.436    3.54   1.48749    70.2           
40       -282.970    3.00                             
41        -28.669    1.00   1.88300    40.8           
42         38.544    5.76   1.71736    29.5           
43        -41.615    3.92                             
44        -28.689    1.00   1.95906    17.5           
45        -60.000    5.23   1.80518    25.4           
46        -25.130  (可変)                             
像面        ∞   
非球面データ
第13面
K = 1.11612e+004  A 4= 2.01552e-006  A 6= 1.98007e-011  A 8= 2.15412e-012  A10=-1.21586e-013  A12= 9.21147e-016  A14=-2.90669e-018  A16= 3.45481e-021  
第26面
K =-9.27899e-001  A 4= 6.92089e-007  A 6= 2.16548e-010  A 8=-8.89267e-013  A10= 2.77771e-015  A12=-2.75426e-018  A14=-1.22765e-021  A16= 2.85175e-024  
各種データ
ズーム比     18.00 
広角     中間     望遠
焦点距離      50.00   215.75   900.00  
Fナンバー      4.50     4.50     7.00  
画角          17.59     4.20     1.01  
像高          15.85    15.85    15.85  
レンズ全長   460.07   460.07   460.07  
BF            55.09    55.09    55.09  
d12           10.00    99.76   137.50  
d21          135.26    26.29    11.26  
d24            5.00    24.22     1.50  
d46           55.09    55.09    55.09  
ズームレンズ群データ
群  始面    焦点距離  
1    1     225.00  
2   13     -33.00  
3   22    -116.71  
4   25      61.00  
【００５１】
（数値実施例２）
単位 mm
面データ
面番号       r        d      nd         vd      硝材名
1       5676.645    6.00   1.83400    37.2           
2        342.358    2.28                             
3        348.609   26.56   1.43387    95.1           
4       -604.237   26.80                             
5        326.275   19.98   1.43387    95.1           
6      -3643.130    0.25                             
7        256.893   19.71   1.43387    95.1           
8       2071.693    1.20                             
9        212.335   14.00   1.49700    81.5           
10        397.913  (可変)                             
11*     10857.362    2.20   2.00330    28.3           
12         67.494    8.50                             
13        -88.496    1.40   1.88300    40.8           
14         53.906   10.40   1.95906    17.5           
15        -71.461    1.88                             
16        -52.422    1.60   1.90366    31.3           
17        143.098  (可変)                             
18        144.247    8.47   1.59282    68.6           
19*      -393.182    0.50                             
20        149.468    7.67   1.59522    67.7     S-FPM2           
21          ∞       6.00   1.59349    67.0     PCD51           
22       -189.732    0.20                             
23        111.188    2.50   1.80518    25.4           
24         55.081   15.28   1.43875    94.9           
25       -997.461  (可変)                             
26*       156.432    3.50   1.66680    33.0           
27         91.086    7.79   1.64000    60.1           
28     -10644.124  (可変)                             
29(絞り)    ∞       2.83                             
30       -106.735    1.40   1.81600    46.6           
31         36.611    0.20                             
32         31.853    5.61   1.80810    22.8           
33        327.395    5.37                             
34        -84.882    1.40   1.88300    40.8           
35        288.508    3.40                             
36        -68.860    1.80   1.75500    52.3           
37        130.997    3.36   1.84666    23.8           
38        289.480    3.03                             
39          ∞       8.87   1.74320    49.3     S-LAM60           
40         20.000   10.00   1.74320    49.3     L-LAM60           
41          ∞       6.14                             
42        558.686    6.58   1.48749    70.2           
43        -45.485    0.20                             
44       -107.346    1.60   1.88300    40.8           
45         46.450    9.81   1.49700    81.5           
46        -40.512    0.20                             
47       1183.429    7.34   1.56732    42.8           
48        -33.412    1.60   1.88300    40.8           
49        -93.424    0.20                             
50         52.530    8.27   1.48749    70.2           
51        -72.441  (可変)                             
52          ∞      33.00   1.60859    46.4           
53          ∞      13.20   1.51633    64.2           
54          ∞     (可変)                             
像面        ∞   
非球面データ
第11面
K =-1.29872e+006  A 4= 9.78024e-007  A 6=-2.45970e-010  A 8= 4.18400e-013  
第19面
K =-6.16565e+001  A 4= 1.68539e-007  A 6= 3.24949e-011  A 8=-1.19536e-015  
第26面
K = 2.41025e+000  A 4=-1.04211e-007  A 6=-2.29927e-011  A 8= 1.03107e-014  
各種データ
ズーム比    115.00 
広角     中間     望遠
焦点距離       8.90    87.88   1023.46  
Fナンバー      1.80     1.80     5.30  
画角          31.72     3.58     0.31  
像高           5.50     5.50     5.50  
レンズ全長   642.54   642.54   642.54  
BF            12.00    12.00    12.00  
d10            2.74   152.29   199.52  
d17          279.59   104.21     2.00  
d25            1.14     5.66    79.97  
d28            3.00    24.31     4.98  
d51           14.00    14.00    14.00  
d54           12.00    12.00    12.00  
ズームレンズ群データ
群  始面    焦点距離  
1    1     261.18  
2   11     -26.45  
3   18      75.26  
4   26     247.78  
5   29      39.45  
6   52       ∞    
【００５２】
（数値実施例２Ａ）
単位 mm
面データ
面番号       r        d      nd         vd      硝材名
1       5676.645    6.00   1.83400    37.2           
2        342.358    2.28                             
3        348.609   26.56   1.43387    95.1           
4       -604.237   26.80                             
5        326.275   19.98   1.43387    95.1           
6      -3643.130    0.25                             
7        256.893   19.71   1.43387    95.1           
8       2071.693    1.20                             
9        212.335   14.00   1.49700    81.5           
10        397.913  (可変)                             
11*     10857.362    2.20   2.00330    28.3           
12         67.494    8.50                             
13        -88.496    1.40   1.88300    40.8           
14         53.906   10.40   1.95906    17.5           
15        -71.461    1.88                             
16        -52.422    1.60   1.90366    31.3           
17        143.098  (可変)                             
18        144.247    8.47   1.59282    68.6           
19*      -393.182    0.50                             
20        149.468    5.67   1.59522    67.7     S-FPM2           
21        400.000    8.00   1.59349    67.0     PCD51           
22       -189.732    0.20                             
23        111.188    2.50   1.80518    25.4           
24         55.081   15.28   1.43875    94.9           
25       -997.461  (可変)                             
26*       156.432    3.50   1.66680    33.0           
27         91.086    7.79   1.64000    60.1           
28      -10644.124  (可変)                             
29(絞り)    ∞       2.83                             
30       -106.735    1.40   1.81600    46.6           
31         36.611    0.20                             
32         31.853    5.61   1.80810    22.8           
33        327.395    5.37                             
34        -84.882    1.40   1.88300    40.8           
35        288.508    3.40                             
36        -68.860    1.80   1.75500    52.3           
37        130.997    3.36   1.84666    23.8           
38        289.480    3.03                             
39          ∞      10.00   1.74320    49.3     S-LAM60           
40        -20.000    8.87   1.74320    49.3     L-LAM60           
41          ∞       6.14                             
42        558.686    6.58   1.48749    70.2           
43        -45.485    0.20                             
44       -107.346    1.60   1.88300    40.8           
45         46.450    9.81   1.49700    81.5           
46        -40.512    0.20                             
47       1183.429    7.34   1.56732    42.8           
48        -33.412    1.60   1.88300    40.8           
49        -93.424    0.20                             
50         52.530    8.27   1.48749    70.2           
51        -72.441  (可変)                             
52          ∞      33.00   1.60859    46.4           
53          ∞      13.20   1.51633    64.2           
54          ∞     (可変)                             
像面        ∞   
非球面データ
第11面
K =-1.29872e+006  A 4= 9.78024e-007  A 6=-2.45970e-010  A 8= 4.18400e-013  
第19面
K =-6.16565e+001  A 4= 1.68539e-007  A 6= 3.24949e-011  A 8=-1.19536e-015  
第26面
K = 2.41025e+000  A 4=-1.04211e-007  A 6=-2.29927e-011  A 8= 1.03107e-014  
各種データ
ズーム比    114.96 
広角     中間     望遠
焦点距離       8.90    87.85   1022.80  
Fナンバー      1.80     1.80     5.30  
画角          31.72     3.58     0.31  
像高           5.50     5.50     5.50  
レンズ全長   642.57   642.57   642.57  
BF            12.02    12.02    12.02  
d10            2.74   152.29   199.52  
d17          279.59   104.21     2.00  
d25            1.14     5.63    79.84  
d28            3.00    24.34     5.11  
d51           14.00    14.00    14.00  
d54           12.02    12.02    12.02  
ズームレンズ群データ
群  始面    焦点距離  
1    1     261.18  
2   11     -26.45  
3   18      75.29  
4   26     247.78  
5   29      39.45  
6   52       ∞    
【００５３】
（数値実施例３）
単位 mm
面データ
面番号       r        d      nd         vd      硝材名
1*        76.988    2.00   1.48749    70.2           
2         26.661   29.48                             
3        -90.982    1.50   1.80000    29.8           
4         71.048    3.28                             
5         75.192    5.29   1.89286    20.4           
6        400.299  (可変)                             
7         60.364    1.50   2.00330    28.3           
8         36.352    6.92   1.60311    60.6           
9       -100.163  (可変)                             
10*        88.265    5.11   1.49700    81.5           
11*       -86.626  (可変)                             
12(絞り)    ∞       2.05                             
13        -44.139    0.80   1.58913    61.1           
14         41.195    1.54   2.00069    25.5           
15        162.626    1.42                             
16        -85.902    0.80   1.49700    81.5           
17         57.215    2.64                             
18(補助絞り) ∞    (可変)                             
19         80.764    6.47   1.53775    74.7           
20        -19.664    0.80   1.56732    42.8           
21        -48.181  (可変)                             
22       -196.020    1.00   1.74320    49.3     S-LAM60           
23         40.000    5.00   1.74320    49.3     L-LAM60           
24        -55.548    0.68                             
25         32.411    0.80   1.78590    44.2           
26         22.476    2.00                             
27         21.831    7.93   1.43875    94.9           
28        -38.164    0.80   1.88300    40.8           
29        236.471  (可変)                             
像面        ∞   
非球面データ
第1面
K = 3.29936e+000  A 4= 2.03188e-006  A 6=-5.74827e-010  A 8= 8.64153e-013  A10=-5.61721e-016  A12= 2.44421e-019  
第10面
K = 2.36172e+000  A 4=-3.56905e-006  A 6= 5.72328e-009  A 8=-8.37904e-012  A10=-3.60375e-014  A12= 1.25346e-016  
第11面
K = 1.90402e+000  A 4=-2.17995e-006  A 6= 7.89602e-009  A 8=-2.04180e-011  A10=-2.73021e-015  A12= 9.00340e-017  
各種データ
ズーム比      4.32 
広角     中間     望遠
焦点距離      18.50    33.01    79.99  
Fナンバー      4.00     4.14     5.29  
画角          38.66    24.15    10.48  
像高          14.80    14.80    14.80  
レンズ全長   217.04   217.04   217.04  
BF            45.58    45.58    45.58  
d 6           58.46    24.82     2.39  
d 9            0.87    17.24     1.94  
d11            0.57    17.84    55.57  
d18           21.19    17.93     0.64  
d21            0.56     3.82    21.12  
d29           45.58    45.58    45.58  
ズームレンズ群データ
群  始面    焦点距離  
1    1     -40.38  
2    7      86.61  
3   10      88.57  
4   12     -41.07  
5   19      60.15  
6   22     172.65  
【００５４】
（数値実施例３Ａ）
単位 mm
面データ
面番号       r        d      nd         vd      硝材名
1*        76.988    2.00   1.48749    70.2           
2         26.661   29.48                             
3        -90.982    1.50   1.80000    29.8           
4         71.048    3.28                             
5         75.192    5.29   1.89286    20.4           
6        400.299  (可変)                             
7         60.364    1.50   2.00330    28.3           
8         36.352    6.92   1.60311    60.6           
9       -100.163  (可変)                             
10*        88.265    5.11   1.49700    81.5           
11*       -86.626  (可変)                             
12(絞り)    ∞       2.05                             
13        -44.139    0.80   1.58913    61.1           
14         41.195    1.54   2.00069    25.5           
15        162.626    1.42                             
16        -85.902    0.80   1.49700    81.5           
17         57.215    2.64                             
18(補助絞り) ∞    (可変)                             
19         80.764    6.47   1.53775    74.7           
20        -19.664    0.80   1.56732    42.8           
21        -48.181  (可変)                             
22       -196.020    5.00   1.74320    49.3     S-LAM60           
23        -40.000    1.00   1.74320    49.3     L-LAM60           
24        -55.548    0.68                             
25         32.411    0.80   1.78590    44.2           
26         22.476    2.00                             
27         21.831    7.93   1.43875    94.9           
28        -38.164    0.80   1.88300    40.8           
29        236.471  (可変)                             
像面        ∞   
非球面データ
第1面
K = 3.29936e+000  A 4= 2.03188e-006  A 6=-5.74827e-010  A 8= 8.64153e-013  A10=-5.61721e-016  A12= 2.44421e-019  
第10面
K = 2.36172e+000  A 4=-3.56905e-006  A 6= 5.72328e-009  A 8=-8.37904e-012  A10=-3.60375e-014  A12= 1.25346e-016  
第11面
K = 1.90402e+000  A 4=-2.17995e-006  A 6= 7.89602e-009  A 8=-2.04180e-011  A10=-2.73021e-015  A12= 9.00340e-017  
各種データ
ズーム比      4.32 
広角     中間     望遠
焦点距離      18.50    33.01    79.99  
Fナンバー      4.00     4.14     5.29  
画角          38.66    24.15    10.48  
像高          14.80    14.80    14.80  
レンズ全長   217.04   217.04   217.04  
BF            45.58    45.58    45.58  
d 6           58.46    24.82     2.39  
d 9            0.87    17.24     1.94  
d11            0.57    17.84    55.57  
d18           21.19    17.93     0.64  
d21            0.56     3.82    21.12  
d29           45.58    45.58    45.58  
ズームレンズ群データ
群  始面    焦点距離  
1    1     -40.38  
2    7      86.61  
3   10      88.57  
4   12     -41.07  
5   19      60.15  
6   22     172.64  
【００５５】
【表１】
2018205332.tif 000004
【００５６】
【表２】
2018205332.tif 000005
【００５７】
【表３】
2018205332.tif 000006
【符号の説明】
【００５８】
Ｌ１  第１レンズ群Ｌ２  第２レンズ群
Ｌ３  第３レンズ群
Ｌ４  第４レンズ群
【図１】
2018205332.tif 000007
【図２】
2018205332.tif 000008
【図３】
2018205332.tif 000009
【図４】
2018205332.tif 000010
【図５】
2018205332.tif 000011
【図６】
2018205332.tif 000012
【図７】
2018205332.tif 000013
【図８】
2018205332.tif 000014
【図９】
2018205332.tif 000015
【図１０】
2018205332.tif 000016
【図１１】
2018205332.tif 000017
【図１２】
2018205332.tif 000018
【図１３】
2018205332.tif 000019